(57)【特許請求の範囲】
【請求項１】
下記成分（ａ１）、（ａ２）及び（ａ３）から選ばれる１種以上の成分（Ａ）と、溶解パラメータ値が１５以上のアルコール系溶剤（Ｂ）と、キレート剤（Ｃ）とを含み、
組成物全体を１００質量％として、前記成分（Ａ）を０．５質量％以上３０質量％以下、前記アルコール系溶剤（Ｂ）を１質量％以上３０質量％以下含み、
前記成分（Ａ）に対する前記キレート剤（Ｃ）の質量比（Ｃ／Ａ）が、３０／７０〜８０／２０である、
硬質表面に付着した虫汚れの除去に使用される洗浄剤組成物。
（ａ１）下記一般式（１）で表されるポリオキシアルキレンアルキルエーテル
Ｒ１Ｏ−［（Ｃ２Ｈ４Ｏ）ｍ／（ＡＯ）ｎ］Ｈ        （１）
（式（１）中、Ｒ１は炭素数８〜２２の炭化水素基であり、ＡＯは炭素数３〜５のアルキレンオキシド基であり、ｍはエチレンオキシド基の平均付加モル数であり、ｍ＝５〜１５、ｎはアルキレンオキシド基の平均付加モル数であり、ｎ＝０〜５である。式（１）中、Ｃ２Ｈ４Ｏ及びＡＯは、ランダム、ブロックのいずれの結合であってもよい。）
（ａ２）下記一般式（２）で表されるポリオキシアルキレンアルキルエステル
Ｒ２ＣＯＯ−［（Ｃ２Ｈ４Ｏ）ｏ／（ＡＯ）ｐ］Ｈ    （２）
（式（２）中、Ｒ２は炭素数８〜２２の炭化水素基であり、ＡＯは炭素数３〜５のアルキレンオキシド基であり、ｏはエチレンオキシド基の平均付加モル数であり、ｏ＝５〜１５、ｐはアルキレンオキシド基の平均付加モル数であり、ｐ＝０〜５である。式（２）中、Ｃ２Ｈ４Ｏ及びＡＯは、ランダム、ブロックのいずれの結合であってもよい。）
（ａ３）炭素数８〜２２のアルキル基を有するアルキルアミンオキシド
【請求項２】
組成物全体を１００質量％として、前記キレート剤（Ｃ）を、０．５質量％以上３０質量％以下含む、請求項１に記載の洗浄剤組成物。
【請求項３】
ｐＨが１０以下である、請求項１又は２に記載の洗浄剤組成物。
【請求項４】
前記硬質表面が車両の表面である、請求項１〜３のいずれかに記載の洗浄剤組成物。
【発明の詳細な説明】
【技術分野】
【０００１】
本発明は、鉄道車両等の硬質表面に付着した虫汚れに対する除去性に優れる洗浄剤組成物に関する。
【背景技術】
【０００２】
高速で移動する鉄道車両は、特に先頭部に昆虫等が衝突して「虫汚れ」が生じやすい。虫汚れは、乾燥すると固化して容易に除去することができず、高い洗浄力を有する洗浄剤を用いる必要がある。例えば、洗浄力の高いアルカリ洗浄剤（ｐＨ１２以上）を用いることが考えられるが、アルミニウム車両ではアルカリ腐食の問題を抱えており、アルカリ洗浄剤を適用することができない。一方で、中性の洗浄剤は虫汚れに対する除去性に劣り、短時間で作業ができず、物理的にこすり落とさなければならない。さらに、運用状況により洗浄時間が十分に取れない場合、虫汚れを完全に除去できないまま、洗浄作業を終了しなければならない。
【０００３】
特許文献１には、高い洗浄性を有する洗車用洗浄剤組成物が開示されている。特許文献１にあっては、特定のグリコールエーテル系化合物に界面活性剤とアルカリ剤とを併用することで、高洗浄力が得られるとともにアルミニウム車体への悪影響が低減された洗浄剤組成物を提供することができる、としている。
【先行技術文献】
【特許文献】
【０００４】
【特許文献１】特開平１１−１５２４９７号公報
【発明の概要】
【発明が解決しようとする課題】
【０００５】
しかしながら、特許文献１に係る洗浄剤組成物にあっては、水酸化ナトリウム等のアルカリ剤を添加するものとしており、アルミニウム車両に対しては、依然としてアルカリ腐食が懸念された。また、高速車両において特有に生じる「虫汚れ」については、何ら着目しておらず、短時間で効率的に虫汚れを除去可能な新たな洗浄剤組成物が求められていた。
【０００６】
そこで本発明は、硬質表面に付着した虫汚れに対する除去性に優れる洗浄剤組成物を提供することを課題とする。
【課題を解決するための手段】
【０００７】
上記課題に鑑み本発明者らが鋭意研究を重ねた結果、ポリオキシアルキレンアルキルエーテル等の所定成分と、アルコール系溶剤と、キレート剤とを、所定の含有量且つ所定の比率にて配合することで、虫汚れに対して良好な除去性を示す洗浄剤組成物とすることができることを知見した。当該洗浄剤組成物は、ｐＨ１０以下においても虫汚れに対する除去性に優れ、アルミ車両への適用も可能である。
【０００８】
すなわち、本発明は、下記成分（ａ１）、（ａ２）及び（ａ３）から選ばれる１種以上の成分（Ａ）と、溶解パラメータ値が１５以上のアルコール系溶剤（Ｂ）と、キレート剤（Ｃ）とを含み、組成物全体を１００質量％として、成分（Ａ）を０．５質量％以上３０質量％以下、アルコール系溶剤（Ｂ）を１質量％以上３０質量％以下含み、成分（Ａ）に対するキレート剤（Ｃ）の質量比（Ｃ／Ａ）が、３０／７０〜８０／２０である、洗浄剤組成物である。
【０００９】
（ａ１）下記一般式（１）で表されるポリオキシアルキレンアルキルエーテル
Ｒ１Ｏ−［（Ｃ２Ｈ４Ｏ）ｍ／（ＡＯ）ｎ］Ｈ        （１）
（式（１）中、Ｒ１は炭素数８〜２２の炭化水素基であり、ＡＯは炭素数３〜５のアルキレンオキシド基であり、ｍはエチレンオキシド基の平均付加モル数であり、ｍ＝５〜１５、ｎはアルキレンオキシド基の平均付加モル数であり、ｎ＝０〜５である。式（１）中、Ｃ２Ｈ４Ｏ及びＡＯは、ランダム、ブロックのいずれの結合であってもよい。）
【００１０】
（ａ２）下記一般式（２）で表されるポリオキシアルキレンアルキルエステル
Ｒ２ＣＯＯ−［（Ｃ２Ｈ４Ｏ）ｏ／（ＡＯ）ｐ］Ｈ    （２）
（式（２）中、Ｒ２は炭素数８〜２２の炭化水素基であり、ＡＯは炭素数３〜５のアルキレンオキシド基であり、ｏはエチレンオキシド基の平均付加モル数であり、ｏ＝５〜１５、ｐはアルキレンオキシド基の平均付加モル数であり、ｐ＝０〜５である。式（２）中、Ｃ２Ｈ４Ｏ及びＡＯは、ランダム、ブロックのいずれの結合であってもよい。）
【００１１】
本発明において、（Ｃ２Ｈ４Ｏ）ｍ／（ＡＯ）ｎ（或いは、（Ｃ２Ｈ４Ｏ）ｏ／（ＡＯ）ｐ）とは、モル数ｍ（或いはｏ）のＣ２Ｈ４Ｏとモル数ｎ（或いはｐ）のＡＯが、ランダム結合又はブロック結合していることを意味する。
尚、本発明において「平均付加モル数ｘ〜ｙ」とは、付加モル数がｘ未満或いはｙ超である成分の混合であっても、全体としての平均付加モル数がｘ〜ｙの範囲となるのであれば、本発明の範囲に含まれることを意味する。このような場合、平均付加モル数は、付加モル数ｘ未満の成分（Ｘ）と付加モル数ｙ超の成分（Ｙ）との質量比に基づいて求めるものとする。例えば、質量比でＸ／Ｙ＝１の場合、平均付加モル数は０．５×ｘ＋０．５×ｙとなるし、質量比でＸ／Ｙ＝２／３の場合、平均付加モル数は０．４×ｘ＋０．６×ｙとなる。
【００１２】
（ａ３）炭素数８〜２２のアルキル基を有するアルキルアミンオキシド
【００１３】
本発明において、組成物全体を１００質量％として、キレート剤（Ｃ）が、０．５質量％以上３０質量％以下含まれることが好ましい。
【００１４】
本発明において、ｐＨが１０以下であることが好ましい。
【００１５】
本発明に係る洗浄剤組成物は、硬質表面に付着した虫汚れの除去に使用されることが好ましい。
【００１６】
特に、上記の硬質表面は車両の表面であることが好ましく、アルミニウム材料を用いてなる車両の表面であることが特に好ましい。
【発明の効果】
【００１７】
本発明によれば、硬質表面に付着した虫汚れに対する除去性に優れる洗浄剤組成物を提供することができる。
【発明を実施するための形態】
【００１８】
本発明に係る洗浄剤組成物は、成分（ａ１）、（ａ２）及び（ａ３）から選ばれる１種以上の成分（Ａ）と、溶解パラメータ値が１５以上のアルコール系溶剤（Ｂ）と、キレート剤（Ｃ）とを含み、組成物全体を１００質量％として、成分（Ａ）を０．５質量％以上３０質量％以下、アルコール系溶剤（Ｂ）を１質量％以上３０質量％以下含み、成分（Ａ）に対するキレート剤（Ｃ）の質量比（Ｃ／Ａ）が、３０／７０〜８０／２０であることに特徴を有する。
【００１９】
１．成分（Ａ）
本発明に係る洗浄剤組成物には、成分（ａ１）、（ａ２）及び（ａ３）から選ばれる１種以上の成分（Ａ）が含まれている。
【００２０】
１．１．成分（ａ１）
成分（ａ１）は下記一般式（１）で表されるポリオキシアルキレンアルキルエーテルである。
【００２１】
Ｒ１Ｏ−［（Ｃ２Ｈ４Ｏ）ｍ／（ＡＯ）ｎ］Ｈ        （１）
（式（１）中、Ｒ１は炭素数８〜２２の炭化水素基であり、ＡＯは炭素数３〜５のアルキレンオキシド基であり、ｍはエチレンオキシド基の平均付加モル数であり、ｍ＝５〜１５、ｎはアルキレンオキシド基の平均付加モル数であり、ｎ＝０〜５である。式（１）中、Ｃ２Ｈ４Ｏ及びＡＯは、ランダム、ブロックのいずれの結合であってもよい。）
【００２２】
上記式（１）におけるＲ１は炭化水素基である。虫汚れに対する除去性に優れる観点から、その炭素数は８〜２２であり、８〜１８が好ましく、１０〜１５がより好ましい。Ｒ１の炭化水素基としては、アルキル基、アルケニル基が好ましく、特にアルキル基が好ましい。
【００２３】
上記式（１）におけるｍはエチレンオキシド基の平均付加モル数である。虫汚れに対し優れた効果を示すｍは５〜１５（モル）であり、６〜１２が好ましく、８〜１２がより好ましい。
【００２４】
上記式（１）におけるＡＯは、アルキレンオキシド基である。ＡＯはメチル分岐、エチル分岐ないしはプロピレン分岐構造を有していても良い。ＡＯは、炭素数３〜５のアルキレンオキシド基であり、３〜４が好ましく、特にプロピレンオキシドの付加反応で得られるプロピレンオキシ基（ＰＯ）であることが好ましい。
【００２５】
上記式（１）におけるｎはアルキレンオキシド基の平均付加モル数である。虫汚れに対し優れた効果を示すｎは、０〜５（モル）であり、０〜３が好ましく、０〜２がより好ましい。
【００２６】
ポリオキシアルキレンアルキルエーテル（ａ１）は、そのＨＬＢ値が８以上１５以下であることが好ましく、１０以上１５以下であることがより好ましい。ＨＬＢ値は、例えば、グリフィン法（ＨＬＢ値＝２０×親水部分の式量の総和／分子量）によって算出することが可能である。
【００２７】
１．２．成分（ａ２）
上記成分（ａ１）と物性や虫汚れに対する作用が極めて類似していることから、本発明においては、成分（ａ１）に替えて、或いは成分（ａ１）とともに、下記成分（ａ２）を含ませることができる。成分（ａ２）は下記一般式（２）で表されるポリオキシアルキレンアルキルエステルである。
【００２８】
Ｒ２ＣＯＯ−［（Ｃ２Ｈ４Ｏ）Ｏ／（ＡＯ）ｐ］Ｈ    （２）
（式（２）中、Ｒ２は炭素数８〜２２の炭化水素基であり、ＡＯは炭素数３〜５のアルキレンオキシド基であり、ｏはエチレンオキシド基の平均付加モル数であり、ｏ＝５〜１５、ｐはアルキレンオキシド基の平均付加モル数であり、ｐ＝０〜５である。式（２）中、Ｃ２Ｈ４Ｏ及びＡＯは、ランダム、ブロックのいずれの結合であってもよい。）
【００２９】
上記式（２）におけるＲ２は炭化水素基である。虫汚れに対する除去性に優れる観点から、その炭素数は８〜２２であり、８〜１８が好ましく、１０〜１５がより好ましい。Ｒ２の炭化水素基としては、アルキル基、アルケニル基が好ましく、特にアルキル基が好ましい。
【００３０】
上記式（２）におけるｏはエチレンオキシド基の平均付加モル数である。虫汚れに対し優れた効果を示すｏは５〜１５（モル）であり、６〜１２が好ましく、８〜１２がより好ましい。
【００３１】
上記式（２）におけるＡＯはアルキレンオキシド基である。ＡＯは、炭素数３〜５のアルキレンオキシド基であり、３〜４が好ましく、特にプロピレンオキシドの付加反応で得られるプロピレンオキシ基（ＰＯ）であることが好ましい。ＡＯはメチル分岐、エチル分岐ないしはプロピレン分岐構造を有していても良い。
【００３２】
上記式（２）におけるｐはアルキレンオキシド基の平均付加モル数である。虫汚れに対し優れた効果を示すｐは、０〜５（モル）であり、０〜３が好ましく、０〜２がより好ましい。
【００３３】
ポリオキシアルキレンアルキルエステル（ａ２）は、そのＨＬＢ値が８以上１５以下であることが好ましく、１０以上１５以下であることがより好ましい。
【００３４】
１．３．成分（ａ３）
成分（ａ３）は、炭素数８〜２２のアルキル基を有するアルキルアミンオキシドである。本発明者らが鋭意研究したところ、上記成分（ａ１）、（ａ２）と同様、成分（ａ３）も、虫汚れに対する除去性に優れる性質を有することを知見した。そこで、本発明においては、成分（ａ１）、（ａ２）に替えて、或いは成分（ａ１）、（ａ２）とともに、成分（ａ３）を含ませることができる。
【００３５】
アルキルアミンオキシドのアルキル基炭素数は、虫汚れに対し優れた効果を示す観点から、８〜２２であり、８〜１５が好ましく、１０〜１２がより好ましい。
【００３６】
本発明に係る洗浄剤組成物における成分（Ａ）の含有量は、組成物全体を１００質量％として、下限が０．５質量％以上、好ましくは３質量％以上、より好ましくは５質量％以上、上限が３０質量％以下、好ましくは２０質量％以下、より好ましくは１５質量％以下である。成分（Ａ）の濃度が低過ぎると虫汚れに対する十分な除去性が得られず、また、濃度が高過ぎると洗浄剤組成物の安定性に劣る。
【００３７】
２．アルコール系溶剤（Ｂ）
本発明に係る洗浄剤組成物には、溶解パラメータ値（solubility parameter値、ＳＰ値）が１５以上のアルコール系溶剤（Ｂ）が含まれている。
【００３８】
「溶解パラメータ値」については以下の通り説明される。すなわち、液体の１モル当たりの蒸発エネルギーをΔＥｖ［ｋＪ・ｍｏｌ−１］とし、そのモル体積をＶｍ［ｃｍ３・ｍｏｌ−１］とすると、溶解パラメータ値δ［Ｊ１／２・ｃｍ−３／２］は、下記式（３）で定義される。
【００３９】
δ＝（ΔＥｖ／Ｖｍ）１／２（３）
【００４０】
溶解パラメータ値は、液体での分子間相互作用の大きさを示す物理化学定数として用いられている。種々の化合物について、実測のΔＥｖ値に基づいて、常温での溶解パラメータ値が知られているほか、特開２００２−２５３６５２号公報に開示されているように、実測のΔＥｖ値が未知の化合物であっても、標準沸点Ｔｂ［Ｋ］を用いて、ΔＥｖ＝２．５４×１０−４Ｔｂ２なる関係式からΔＥｖを精度よく算出し、これを用いて溶解パラメータ値を算出することができる。或いは、標準沸点Ｔｂが未知の化合物についても、測定圧力での沸点を考慮しつつ、公知の計算式にて標準沸点Ｔｂを特定することが可能である。
【００４１】
溶解パラメータ値が１５以上のアルコール系溶剤（Ｂ）は虫汚れに対する除去性に優れる。本発明において、アルコール系溶剤（Ｂ）は１種だけ含まれていてもよいし、２種以上含まれていてもよい。虫汚れに対して特に優れた除去性を示すアルコール系溶剤（Ｂ）は以下の通りである。
【００４２】
芳香族アルコールでは、ベンジルアルコール（ＳＰ値２３．７）が好ましい。
【００４３】
ポリオールモノエーテル類では、３−メトキシ−３−メチル−１−ブタノール（ＳＰ値２０．３）、２−ベンジルオキシエタノール（ＳＰ値２２．７）、２−フェノキシエタノール（ＳＰ値２３．４）が好ましい。
【００４４】
ポリアルキレングリコール類では、トリエチレングリコール（ＳＰ値２４．５）、ジプロピレングリコール（ＳＰ値２２．２）が好ましい。
【００４５】
ポリエチレングリコールモノエーテル類では、ジエチレングリコールモノエチルエーテル（ＳＰ値２０．６）、ジエチレングリコールモノブチルエーテル（ＳＰ値１９．４）、トリエチレングリコールモノフェニルエーテル（ＳＰ値２０．３）が好ましい。
【００４６】
特に好ましいアルコール系溶剤（Ｂ）は、３−メトキシ−３−メチル−１−ブタノール、又は、ジエチレングリコールモノエチルエーテルである。
【００４７】
本発明に係る洗浄剤組成物におけるアルコール系溶剤（Ｂ）の含有量は、組成物全体を１００質量％として、下限が１質量％以上、好ましくは５質量％以上、より好ましくは１０質量％以上、上限が３０質量％以下、好ましくは２０質量％以下、より好ましくは１８質量％以下である。アルコール系溶剤（Ｂ）の濃度が低過ぎると虫汚れに対する十分な除去性が得られず、また、濃度が高過ぎると洗浄剤組成物の安定性に劣る。
【００４８】
３．キレート剤（Ｃ）
本発明に係る洗浄剤組成物には、キレート剤（Ｃ）が含まれている。本発明において、キレート剤（Ｃ）は１種だけ含まれていてもよいし、２種以上含まれていてもよい。
【００４９】
キレート剤（Ｃ）としては、例えば、ニトリロ三酢酸、イミノ二酢酸、エチレンジアミン四酢酸、ジエチレントリアミン五酢酸、グリコールエーテルジアミン四酢酸、ヒドロキシエチルイミノ二酢酸、トリエチレンテトラアミン六酢酸、ジエンコル酸等のアミノポリ酢酸又はこれらの塩；ジグリコール酸、オキシジコハク酸、カルボキシメチルオキシコハク酸、クエン酸、乳酸、酒石酸、シュウ酸、リンゴ酸、オキシジコハク酸、グルコン酸、カルボキシメチルコハク酸、カルボキシメチル酒石酸等の有機酸又はこれらの塩；アミノトリ（メチレンホスホン酸）、１−ヒドロキシエチリデン−１，１−ジホスホン酸、エチレンジアミンテトラ（メチレンホスホン酸）、ジエチレントリアミンペンタ（メチレンホスホン酸）、これらのアルカリ金属又はアミン塩；等を用いることができる。
【００５０】
この中でも、虫汚れに対し一層優れた除去性を有することから、ニトリロ三酢酸、エチレンジアミン四酢酸、グルコン酸、クエン酸又はこれらの塩がより好ましく、特に、ニトリロ三酢酸、エチレンジアミン四酢酸、グルコン酸又はこれらの塩が好ましい。
【００５１】
本発明に係る洗浄剤組成物においてキレート剤（Ｃ）は、上記の成分（Ａ）に対して所定の比率となるように含まれている。具体的には、成分（Ａ）に対するキレート剤（Ｃ）の質量比（Ｃ／Ａ）は、下限が３０／７０以上、好ましくは４０／６０以上、より好ましくは５０／５０以上であり、上限が８０／２０以下、好ましくは７０／３０以下、より好ましくは６０／４０以下である。当該範囲を外れた場合、成分（Ａ）或いはキレート剤（Ｃ）の濃度が低くなり過ぎ、虫汚れの除去性が劣る。
【００５２】
また、本発明に係る洗浄剤組成物におけるキレート剤（Ｃ）の含有量は、組成物全体を１００質量％として、０．５質量％以上３０質量％以下であることが好ましい。下限は、より好ましくは２質量％以上、特に好ましくは５質量％以上であり、上限は、より好ましくは２０質量％以下、特に好ましくは１５質量％以下である。上述の通りキレート剤（Ｃ）の濃度が低過ぎると虫汚れに対する十分な除去性が得らない場合があり、また、濃度が高過ぎると洗浄剤組成物の安定性に劣る場合がある。
【００５３】
４．その他成分
本発明に係る洗浄剤組成物は、上記の成分（Ａ）、アルコール系溶剤（Ｂ）及びキレート剤（Ｃ）を所定の含有量且つ所定の比率で含んでいれば、その他成分については特に限定されるものではない。例えば、残部をすべて水とすることが可能である。或いは、本発明の効果を損なわない範囲で、各種添加剤を添加することも可能である。添加剤としては公知の界面活性剤、ビルダー、増粘剤、上記アルコール系溶剤（Ｂ）以外のアルコール系溶剤等が挙げられる。
【００５４】
以上の通り、本発明に係る洗浄剤組成物は、ポリオキシアルキレンアルキルエーテル等の所定成分（Ａ）と、アルコール系溶剤（Ｂ）と、キレート剤（Ｃ）とを、所定の含有量且つ所定の比率にて配合することで、虫汚れに対して良好な除去性を示す洗浄剤組成物とすることができる。すなわち、本発明に係る洗浄剤組成物は、硬質表面に付着した虫汚れの除去に好適に使用され、特に、車両の表面洗浄に用いることが好ましく、アルミニウム材料を用いてなる車両（例えば、鉄道車両）の表面洗浄に用いることが最も好ましい。
【００５５】
本発明に係る洗浄剤組成物は、ｐＨ１０以下においても虫汚れに対する除去性に優れ、アルミニウムに対する腐食の懸念もない。ｐＨについては、取り扱い性等を考慮し、より好ましくは５〜９、特に好ましくは６〜８である。
【実施例】
【００５６】
以下、実施例に基づいて、本発明についてさらに詳述する。
【００５７】
＜洗浄剤組成物の作製＞
表１、２に示されるように、各成分を所定量・所定比率で配合し、実施例１〜１２及び比較例１〜１１に係る洗浄剤組成物をそれぞれ得た。各成分の詳細は以下の通りである。尚、実施例１２で用いたソフタノール３０、ソフタノール２００は、ともにエチレンオキシド基の平均付加モル数ｍが５〜１５の範囲から外れたものであるが、両者を混合したことによって、平均付加モル数ｍが５〜１５の範囲内（具体的にはｍ＝９.８）とした。
【００５８】
１）ソフタノール３０  （株式会社日本触媒製ソフタノール３０、ポリオキシエチレンアルキルエーテル、Ｃ１２〜Ｃ１４の２級アルコール１００％、エチレンオキシド基の平均付加モル数ｍ＝３、ＨＬＢ＝７．９）
２）ソフタノール７０  （株式会社日本触媒製ソフタノール７０、ポリオキシエチレンアルキルエーテル、Ｃ１２〜Ｃ１４の２級アルコール１００％、エチレンオキシド基の平均付加モル数ｍ＝７、ＨＬＢ＝１２．１）
３）ソフタノール１２０  （株式会社日本触媒製ソフタノール１２０、ポリオキシエチレンアルキルエーテル、Ｃ１２〜Ｃ１４の２級アルコール１００％、エチレンオキシド基の平均付加モル数ｍ＝１２、ＨＬＢ＝１４．５）
４）ソフタノール２００  （株式会社日本触媒製ソフタノール２００、ポリオキシエチレンアルキルエーテル、Ｃ１２〜Ｃ１４の２級アルコール１００％、エチレンオキシド基の平均付加モル数ｍ＝２０、ＨＬＢ＝１６．３）
５）Ａ−１  （炭素数１０〜１４の１級アルコールに、エチレンオキサイドを平均９モル、プロピレンオキサイドを平均２モルの順にブロック付加させた化合物）
６）ソフミンＬ  （東邦化学工業株式会社製ソフミンＬ、ラウリルジメチルアミンオキシド、３０％）
７）ＭＳ−４００  （三洋化成工業株式会社製イオネットＭＳ−４００、ポリオキシエチレンモノステアリン酸エステル、エチレンオキサイドの平均付加モル数ｏ＝９．１、ＨＬＢ＝１１．９）
８）ＤＧ  （株式会社日本触媒製シーホゾールＤＧ、ジエチレングリコールモノエチルエーテル、９９％以上、ＳＰ値２０．６）
９）ソルフィット  （株式会社クラレ製ソルフィット、３−メトキシ−３−メチル−１−ブタノール、９８％以上、ＳＰ値２０．３）
１０）クレワットＧＬ  （ナガセケムテックス株式会社製クレワットＧＬ、グルコン酸ナトリウム、１００％）
１１）クエン酸三ナトリウム  （磐田化学工業株式会社製クエン酸三ナトリウム、クエン酸三ナトリウム２水和物、９９％以上）
１２）ＭＳ−１０００  （三洋化学工業株式会社製イオネットＭＳ−１０００、ポリオキシエチレンモノステアリン酸エステル、エチレンオキサイドの平均付加モル数ｏ＝２２．７、ＨＬＢ＝１５．７）
１３）ＤＰＭ  （ダウ・ケミカル株式会社製ダワノールＤＰＭ、ジプロピレングリコールメチルエーテル、９９％以上、ＳＰ値９．４）
１４）ＰＭ  （ダウ・ケミカル株式会社製ダワノールＰＭ、グリコールエーテル（プロピレングリコールメチルエーテル）、９９％以上、ＳＰ値１０．２）
１５）ピロリン酸カリウム  （太平化学工業株式会社製ピロリン酸カリウム、二リン酸四カリウム、９７％以上）
１６）ＫＯＨ  （旭硝子株式会社製、液体苛性カリ、水酸化カリウム溶液、４８％以上）
【００５９】
＜洗浄剤組成物の評価＞
各洗浄剤組成物について、虫汚れ除去性、及び、アルミニウム材への影響をそれぞれ評価した。
【００６０】
１．虫汚れ除去性
赤虫を塗装板に均一に載せ、５０℃にて２４時間放置した。その後、試料１０ｍｌを塗装板に滴下し、ブラシ（１１２５±１１３ｇ）を装着したウォッシャビリティテスターで２０往復洗浄し、外観を目視で評価した（赤虫は水中生物であるが、車両先頭部に付着する虫汚れと赤虫とは良く相関するため、先頭部に付着する虫汚れを模擬すべく、赤虫を使用した。）。評価結果を下記表１、２に示す。尚、評価指標は以下の通りである。
◎：優れる
○：良好
△：基準
×：劣る
【００６１】
２．アルミニウム材への影響
アルミニウム材（Ａ５０８３Ｐ）を各洗浄剤組成物に常温にて１日浸漬した後、外観を目視で評価した。評価結果を下記表１、２に示す。尚、評価指標は以下の通りである。
○：光沢変化なし
×：光沢低下あり
【００６２】
【表１】
0005969798.tif 000002
【００６３】
【表２】
0005969798.tif 000003
【００６４】
実施例１〜１２に係る洗浄剤組成物は、虫汚れ除去性に優れ、且つ、アルミニウム材への悪影響もなかった。
一方、比較例１に係る洗浄剤組成物は、成分（Ａ）の添加量が本発明の範囲よりも下回っており、虫汚れに対して十分な除去性が得られなかった。
比較例２に係る洗浄剤組成物は、アルコール系溶剤（Ｂ）の添加量が本発明の範囲よりも下回っており、虫汚れに対して十分な除去性が得られなかった。
比較例３及び６に係る洗浄剤組成物は、成分（Ａ）のエチレンオキシド基の平均付加モル数ｍが本発明の範囲から外れており、虫汚れに対して十分な除去性が得られなかった。
比較例４に係る洗浄剤組成物は、アルコール系溶剤（Ｂ）のＳＰ値が本発明の範囲から外れており、虫汚れに対して十分な除去性が得られなかった。
比較例５及び７に係る洗浄剤組成物は、成分（Ａ）とキレート剤（Ｃ）との配合比Ｃ／Ａが本発明の範囲から外れており、虫汚れに対して十分な除去性が得られなかった。
比較例８に係る洗浄剤組成物は、アルカリ剤として水酸化カリウムを用いた結果、組成物のｐＨが１０を超えており、アルミニウムが腐食し変色してしまった。
比較例９に係る洗浄剤組成物は、アルキルアミンオキシドの添加量が本発明の範囲から外れており、虫汚れに対して十分な除去性が得られなかった。
比較例１０に係る洗浄剤組成物は、ポリオキシエチレンアルキルエステルのエチレンオキサイドの付加モル数が本発明の範囲から外れており、虫汚れに対して十分な除去性が得られなかった。
比較例１１に係る洗浄剤組成物は、ピロリン酸カリウムによりアルミが変色してしまい、また虫除去性に対しても十分な除去性が得られなかった。
【００６５】
以上、現時点において、最も実践的であり、且つ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う洗浄剤組成物もまた本発明の技術範囲に包含されるものとして理解されなければならない。
【産業上の利用可能性】
【００６６】
本発明に係る洗浄剤組成物は、硬質表面に付着した虫汚れを短時間で洗浄することができる。特に、鉄道車両の洗浄剤として好適に用いることができる。